(57)【要約】      （修正有）【課題】寒い日や冬時期、心臓病等を患っている人々、特に高齢者の入浴時において、お湯の熱さによる刺激を大きく体に与えないようにするために足湯、半身浴、低全身浴と、少しずつ段階的に体を湯に浸ける入浴方法が必要である。入浴する一人一人の最適な高さによる足湯等を容易に行なう事ができ、簡単に製作できる浴槽内用椅子を提供する。【解決手段】本浴槽内用椅子は木質材であり、底面が長方形である四角柱の箱体である。そして、その箱体を立てて、それに座る事で足湯を行なう事ができ、横にしてそれに座る事で半身浴ができる。さらに伏せる事で低全身浴を行なうことができる。【選択図】図１
0003167072.tif 000002
【実用新案登録請求の範囲】
【請求項１】
本考案の浴槽内用椅子の素材は木質材であり、四角柱の箱体である。
その箱体は、脱着可能な蓋板を有しており、さらにお湯取り入れ口が設けられている。
【請求項２】
正四角柱の箱体にしてなる、請求項１記載の浴槽内用椅子である。
【考案の詳細な説明】
【技術分野】
【０００１】
本考案は入浴時において、浴槽内でお湯に沈めて使用する椅子に関するものでる。
【背景技術】
【０００２】
従来においては、合成樹脂材でブロー成形され、浴槽内でお湯に沈めて使用する椅子（特開平８−１７３２６７）があった。
【先行技術文献】
【特許文献】
【０００３】
【特許文献１】特開平８−１７３２７号公報
【考案の概要】
【考案が解決しようとする課題】
【０００４】
従来、浴槽内でお湯に沈めて使用する椅子においては、多くの人達に使って頂くことを目的としているために、お湯の浮力があるとはいえ１００kg程度の重さに耐える事が必要条件であった。
【０００５】
寒い日、あるいは冬時期、高血圧症や、心臓病、血管障害等を患っている人々、特に高齢者の入浴時において、お湯の熱さによる刺激を大きく体に与えない様に、足湯、半身浴、低全身浴と段階的に、あるいは少しずつ、ゆっくりと体をお湯に沈め、お湯に浸かる必要があった。
又、浴槽に浸かっている時間も３分から５分程度の短い入浴が好ましいと、多くの専門医が述べている。
【０００６】
身長や、座高、体重、浴槽の深さ等、諸条件をもとにして、使用する一人一人の最適な高さによる、浴槽内用椅子を容易に製作し提供できるものが求められていた。
【０００７】
従来の椅子は浴槽の底に、吸盤により吸着されているため、その椅子を使用する時、腕、あるいは体を沈めて取らなければ、ならないものであった。
【０００８】
従来の椅子は、重さに対する強度を少しでも強くするために、複雑な形状をしており、そのために直接に座りにくく、シート体が必要となるものであった。
さらに複雑な形状なため、湯垢等の汚れを洗浄しにくく、洗浄できない部分も残るのであった。
【課題を解決するための手段】
【０００９】
本考案の浴槽内用椅子（以後、椅子と称す）は木質材であり、底面が長方形である四角柱の箱体である。そして、その箱体を立てて、それに座る（従来、腰を掛ける、と言う表現方法もあるが、以後、座ると称す）事で足湯を行なう事ができ、横にしてそれに座る事で半身浴ができる。さらに伏せる事で低全身浴を行なうことができる。
【００１０】
正四角柱の底面の形状においては、４つ辺の長さを等しくした正四角形であり、その１辺の長さは、四角柱の箱体を横にした高さと同じ長さである。
【考案の効果】
【００１１】
本考案の椅子は木質材であるため、身長、座高、体重、浴槽の深さ等、諸条件の違いによる寸法の違った椅子を容易に製作し、提供する事ができる。又、間伐材で作る事もできるために、森林地域の貢献にもなるものである。
【００１２】
本考案の椅子は使用時以外は、お湯に浮いているため容易に椅子を手に取る事ができ、そして瞬時に座るための好みの高さである、立てる、横にする、伏せる、のいずれかを選び、その椅子をお湯に沈め、足湯、半身浴、低全身浴という三つの方法で、高血圧、心臓病等の病に配慮した入浴ができるのである。
【００１３】
上記の一連の動作を簡単に素早くできる事は、木質材の箱体であるためで、家庭風呂は勿論、温泉風呂においても、他人が使用し、そのまま放置しておいても、次の人が使用するのに、なんら支障がないのである。その事は本考案の特徴とするものである。そのため、病人や高齢者でも簡単に使用する事ができ、好ましい入浴時間という制限の中で不要な動作を行なう事なく時間を有効に使い静かに、ゆっくりとお湯の熱さに体を慣らしながら入浴ができる。
【００１４】
単純な四角柱の箱体であるため、どの面にも直接座る事ができる。又、清潔さを維持するための汚れ落しや洗浄、清掃が余す事なく容易にできる。
【００１５】
底面を正四角形にする事で椅子としての、すわりを良くする事ができ、使用する人達の座り易さも向上するのである。
【図面の簡単な説明】
【００１６】
【図１】四角柱の椅子を立てた所の斜視図
【図２】四角柱の椅子の蓋板を取り除いた所の斜視図
【図３】Ａ−Ａ断面図
【図４】四角柱の椅子を横にした所の斜視図
【図５】四角柱の椅子を伏せた所の斜視図
【図６】正四角柱の椅子を立てた所の斜視図
【図７】正四角柱の椅子を横にした所の斜視図
【図８】上面、底面を広くした所の斜視図
【考案を実施するための最良の形態】
【００１７】
本考案の椅子は、四角柱の箱体であり、正面部の半分程度の部分において、手首が入る程度の幅を有した、お湯取り入れ口と、着脱可能にして取り付けて固定された蓋板が設けられている。
【００１８】
四角柱の箱体である椅子を立てて座る場合は、お尻が少しお湯に浸る程度の高さとする。又、横にして座る場合は、臍がお湯に浸る程度の高さとする。さらに伏せて座る場合は、胸が少しお湯に浸る程度の高さとする。
【００１９】
正四角柱の箱体にすることで椅子としてのすわりが安定したものとなり、それを立てて座る時の高さ、横にして座る時の高さは、上記四角柱の場合と同じである。
【実施例】
【００２０】
以下、添付図面に従って実施例を説明する。
図１は四角柱の椅子を、上面イを上にして立てた所の斜視図であり、その椅子の上面イ、底面ロ、左側面ヘ、右側面ホ、背面ニ、の各面と正面ハの半分程度の面は木質材板によって取り付け、固定されている。正面ハの残された半分程の面においては、手首が入る程度の幅を有した、お湯取り入れ口ｂと開き止め金具Ｃを内側に有した蓋板ａを着脱可能にして取り付け、固定されてる。
【００２１】
椅子の高さについては、浴槽においての湯位の高さ、人それぞれの座高の違い、痩せている人、太っている人等により、湯位の高さが違ってくるため、入浴するその人の最善の椅子の高さを決めるのは難しいものの、浴槽の深さが５５ｃｍ、入浴する人の身長が１６５ｃｍの場合においては、図１のように、上面イを上に、あるいは底面ロを上にして立て、その上面イ、あるいは底面ロに座ったとき、お尻が少しお湯に浸かる程度の足湯を行なうための椅子の高さは４５ｃｍ程度としたものである。。
【００２２】
図４のように、椅子の右側面ホを上にして、あるいは左側面ヘを上にして横にする。その横にした椅子の右側面ホ、あるいは左側面ヘに座った時、臍がお湯に浸る程度の半身浴を行なうための椅子の高さは２５ｃｍ程度としたものである。
【００２３】
図５のように椅子の正面ハを上にして、あるいは背面ニを上にして椅子を伏せる。その椅子の正面ハ、あるいは背面ニに座った時、胸が少しお湯に浸る程度の低全身浴となるための椅子の高さは１５ｃｍ程度としたものである。
【００２４】
図６は正四角柱の椅子を立てた所の斜視図であるが、正四角柱の椅子を立てた時の高さは、四角柱の椅子を立てた時の高さと同じである。又、図７の正四角柱の椅子を横にした時の高さは、四角柱の椅子を横にした時の高さと同じである。
【００２５】
図１の四角柱の椅子と、図６の正四角柱、それぞれの椅子の６面全部を木質材による簀の子状にする事もできるものであるが、本考案は木質材を隙間なく打ち付けたり、あるいは取り付けたりして、平らな面とする事で汚れ落しや、洗浄、清掃を容易にする事を目的としたものである。
【００２６】
図１、６においての蓋板ａは、椅子の内側を洗浄や清掃をする時に脱着するものである。
【００２７】
図１．６においての開き止め金具ｃは、市販されているラッチという開き止め金具を使用したもので、蓋板ａの内側において、上下２箇所に開き止め金具本体を取り付け、固定する。その開き止め金具本体が有する芯棒を、上面イと底面ロに予め取り付けて設けられている受座に挿入し蓋板ａを固定するのである。又、開き止め金具ｃにおいて、蓋板ａが容易に開かない、あるいは脱落防止ができる物であれば、他の開き止め金具等を使用する事は任意である。
【００２８】
本考案は上述の如き構成からなるものであるから、心臓病や高血圧症を患っている方々、特に高齢者が冬時期の入浴時において、心臓より遠い所の足湯を行なうために、図１の、上面イあるいは底面ロを上にして椅子を立て、お尻にあてがうようにしながら、お湯取り入れ口ｂよりお湯を取り込み、お湯の中に沈め、そこに座り足湯を行なう。下半身がお湯の熱さに慣れたら、図４のように右側面ホあるいは左側面ヘを上にして椅子を横にして、そこに座り半身浴を行なう。体もお湯の熱さに大分に慣れ、より深くお湯に浸かりたい時は、図５のように正面ハあるいは背面ニを上にして椅子を伏せる。そして、そこに座り、低全身浴を行い体を温めるのである。
【００２９】
椅子の汚れ落し、洗浄、清掃を行なう事については、図１、図６における、お湯取り入れ口ｂより手を入れ、開き止め金具ｃを開錠し、蓋板ａを取り除き、その蓋板ａが取り除かれた所より手を入れ内側の汚れ落し等を行なうのである。
【００３０】
木質材の椅子にお湯が浸透しにくくすると共に湯垢が付着しにくく、汚れ落しもしやすくするために、椅子を組み立て仕上げ前の部材、あるいは組み立てられた椅子に対して、合成樹脂液を自然浸透や強制加圧浸透等の方法で木質材に浸透させる事もできるものである。
【００３１】
椅子が浴槽に傷をつけたり、滑らないようにするために、図１の上面イと底面ロの各辺における角部にＬ字状のゴムバンドを巻き付ける事もできる。さらに図８の上面イ、底面ロにおいて、それぞれの各辺を等しく長くして、正面ハ、背面ニ、右側面ホ、左側面ヘ、より外側に広くなるように迫り出した、その厚みＧの部分に、コの字状のゴムバンドを填め込むようにして巻き付ける事もできる。この事は椅子を横にしたり、伏せたりする時に迫り出した部分が椅子の足となり、椅子としての、座りがより良くなるものである。
【符号の説明】
【００３２】
イ  上面
ロ  底面
ハ  正面
ニ  背面
ホ  右側面
ヘ  左側面
ａ  蓋板
ｂ  お湯取り入れ口
ｃ  開き止め金具
Ｇ  厚み
【図１】
0003167072.tif 000003
【図２】
0003167072.tif 000004
【図３】
0003167072.tif 000005
【図４】
0003167072.tif 000006
【図５】
0003167072.tif 000007
【図６】
0003167072.tif 000008
【図７】
0003167072.tif 000009
【図８】
0003167072.tif 000010
【手続補正書】
【提出日】平成23年2月2日(2011.2.2)
【手続補正１】
【補正対象書類名】実用新案登録請求の範囲
【補正対象項目名】全文
【補正方法】変更
【補正の内容】
【実用新案登録請求の範囲】
【請求項１】
四角柱の箱体であって、前記箱体には、脱着可能な蓋板と、お湯取り入れ口が設けられており、素材は木質材であることを特徴とする浴槽内用椅子。
【請求項２】
前記箱体は正四角柱であることを特徴とする請求項１記載の浴槽内用椅子。
【手続補正２】
【補正対象書類名】明細書
【補正対象項目名】０００１
【補正方法】変更
【補正の内容】
【０００１】
本考案は入浴時において、浴槽内でお湯に沈めて使用する椅子に関するものである。
【手続補正３】
【補正対象書類名】明細書
【補正対象項目名】０００９
【補正方法】変更
【補正の内容】
【０００９】
本考案の浴槽内用椅子（以後、椅子と称す）は木質材であり、底面が長方形である四角柱の箱体であり、そして、その箱体を立てて、それに座る（従来、腰を掛ける、と言う表現方法もあるが、以後、座ると称す）事で足湯を行なう事ができ、横にしてそれに座る事で半身浴ができる。さらに伏せる事で低全身浴を行なう事ができる。
【手続補正４】
【補正対象書類名】明細書
【補正対象項目名】００１０
【補正方法】変更
【補正の内容】
【００１０】
正四角柱の底面の形状においては、４つの辺の長さを等しくした正四角形であり、その１辺の長さは、四角柱の箱体を横にした高さと同じ長さである。
【手続補正５】
【補正対象書類名】明細書
【補正対象項目名】００１３
【補正方法】変更
【補正の内容】
【００１３】
上記の一連の動作を素早くできる事は、木質材の箱体であるためで、家庭風呂は勿論、温泉風呂においても、他人が使用し、そのまま放置しておいても、次の人が使用するのに、なんら支障がないのであり、その事は本考案の特徴とするものである。そのため病人や高齢者でも簡単に使用する事ができ、好ましい入浴時間という制限の中で不要な動作を行なう事なく時間を有効に使い静かに、ゆっくりとお湯の熱さに体を慣らしながら入浴ができる。